(57)【特許請求の範囲】
【請求項１】
一方向に伸びる底板と、該底板の幅方向における一方の端部に延設された屋外側壁板と、前記底板の幅方向における他方の端部に延設され前記屋外側壁板よりも高さが低い屋内側壁板とを備え、幅方向断面が略コ字状の合成樹脂製の軒樋において、
各壁板には、上端又はその近傍に中空の耳縁が設けられており、
前記底板は、長手方向中央部から長手方向両端部に向かって、１．８ｍあたり３〜５ｍｍの割合で高くなるように傾斜していることを特徴とする軒樋。
【請求項２】
前記屋外側壁板の内面には、耳縁に沿って中空リブが突設されており、この中空リブの高さ位置が前記屋内側壁板の耳縁と前記屋外側壁板の耳縁との間にあることを特徴とする請求項１記載の軒樋。
【請求項３】
前記屋外側壁板は、その下端から中空リブまでの部分は前記底板に対して垂直に形成されており、前記中空リブから上方の部分は内側に向かってなだらかに傾斜していることを特徴とする請求項１又は請求項２記載の軒樋。
【請求項４】
前記底板にその長手方向に伸びる突出部を設けたことを特徴とする請求項１、請求項２又は請求項３記載の軒樋。
【請求項５】
前記屋外側壁板の外面と、前記屋内側壁板の内面に耐候性樹脂を被覆したことを特徴とする請求項１、請求項２、請求項３又は請求項４記載の軒樋。
【発明の詳細な説明】
【０００１】
【発明の属する技術分野】
本発明は、軒樋に係り、特に建屋に施工されても経時的変化が少ない軒樋に関する。
【０００２】
【従来の技術】
従来、軒樋は、建屋に６００ｍｍ間隔で取り付けられた複数の吊り具に吊されて取り付けられている。これは、あまりに長い間隔で軒樋を固定すると、軒樋同士を接続している継手部分（長手方向における両端部）が下に落ち込んだり、太陽光の影響で伸びようとする軒樋が蛇行したりするためである。
【０００３】
【発明が解決しようとする課題】
しかしながら、最近、軒樋の取付作業効率を考え、この間隔を広げて固定することが要求されたきた。ここで、単純に吊り具の間隔を開けると、前述の如くその継手部分が下に落ち込んだり、軒樋が蛇行したりするという課題がある。
【０００４】
したがって、本発明の目的は、軒樋を固定する吊り具の取付間隔を広げても上記課題が生じない軒樋を提供することにある。
【０００５】
【課題を解決するための手段】
本発明者は、上記に鑑み鋭意検討を行った結果、軒樋の底板をその長手方向の両端へいくに従ってその内側へ１．８ｍあたり３〜５ｍｍ傾斜させ、これにより上記課題を解決できることを見いだし、本発明を完成させた。
【０００６】
【発明の実施の形態】
本発明の軒樋において、軒樋の底板をその長手方向の両端へいくに従ってその内側へ１．８ｍあたり３〜５ｍｍ傾斜させたのは、軒樋継手が下に落ち込むのを予め計算して設計したためである。この傾斜割合は、軒樋の素材、継手の重さに応じて適宜選択できる。
【０００７】
また、上記屋外側壁板の内壁にその内側へ突出した中空リブを設けることにより、軒樋の継手部分の落ち込みや軒樋の蛇行を防止することができる。これは、屋外側壁板が屋内側壁板より太陽光を受けやすく曲がりやすいため、屋外側壁板だけに設けることが好ましい。また、該中空リブは、この中空リブ自体が太陽光からの影響を受け難くするため、屋外側壁板の内壁に設けられることが好ましい。また、屋内側壁板との兼ね合いから、この中空リブの高さ位置は、前記屋内側壁板の耳縁の高さ位置と同程度から屋外側壁の耳縁の高さ位置との間にあるのが好ましい。
【０００８】
上記屋外側壁板は、その下端から上記中空リブまで鉛直に形成され、屋外側壁板の該中空リブ配置位置より上方を軒樋の内側へなだらかに傾斜されることにより、蛇行が少なくなる。蛇行が少なくなる理由は、鋭意研究の結果、蛇行原因の太陽光を受けやすい形である屋外側壁板の内側傾斜部が、製品設計として要求される形状であるという条件の下、内側への傾斜部分を最小限にして太陽光の受光面積を最小限にしたためである。
【０００９】
上記床板に長手方向に伸びる突出部を設けることにより、床板の補強ができ、これにより、軒樋の継手部分（長手方向における両端部）が下に落ち込むことがなく、軒樋が蛇行し難くなる。該突出部は、幾つ形成しても良く、好ましくは、１つ又は２つ良い。
【００１０】
本発明にかかる軒樋の素材にあっては、従来公知の合成樹脂を採用でき、具体的には、ポリ塩化ビニル樹脂、ポリエチレン樹脂、ポリスチレン樹脂、ポリプロピレン樹脂、ポリカーボネート樹脂、アクリロニトリル−ブタジエン−スチレン共重合体等がある。
【００１１】
軒樋の屋外側壁板の外側と、屋内側壁板の内側に耐候性樹脂を被覆することにより、太陽光によって生じる伸縮を抑えることができる。これにより、軒樋の蛇行を抑えることができる。耐候性樹脂の被覆場所を屋外側壁板の外側と屋内側壁板の内側に限定したのは、かかる範囲に太陽光が多く当たることから屋外側と屋内側の熱変形バランスを均一に保たせ軒樋全体の熱変形バランスを均一に図るためである。該耐候性樹脂としては、アクリル樹脂、アクリルニトリルスチレン樹脂、ＡＡＳ樹脂（アクリルニトリル・アクリルゴム・スチレン樹脂）、ＡＥＳ樹脂（アクリロニトリル・（エチレン・プロピレン・ジエン共重合体）・スチレン樹脂）、メタクリル樹脂及びフッ素樹脂等がある。
【００１２】
本発明の軒樋は、全体で縦断面コ字状に形成された合成樹脂製の軒樋の底板をその長手方向の両端へいくに従って軒樋の内側へ１．８ｍあたり３〜５ｍｍ傾斜させ、上記屋外側壁板の内壁にその内側へ突出した中空リブを設け、この中空リブの高さ位置を前記屋内側壁板の耳縁の高さ位置と同程度から屋外側壁の耳縁の高さ位置との間とし、上記屋外側壁板を、その下端から上記中空リブまで鉛直に形成され、屋外側壁板の該中空リブ配置位置より上方を軒樋の内側へなだらかに傾斜させ、さらに上記床板にその長手方向に伸びる突出部を設け、これにより、吊り具同士の間隔を開けても、軒樋同士を接続している継手部分（長手方向における両端部）が下に落ち込んだり、太陽光を受けても軒樋が蛇行しない。
【００１３】
【実施例】
本発明にかかる一実施例について、図１及び図２を参照しつつ説明する。図１は本発明を軒樋に具現化した実施例を模式的に示した斜視図であり、図２はこの実施例を施工した際の測定方法を示す参考図である。
【００１４】
本実施例の軒樋は、図１のような全体で縦断面コ字状に形成されたポリ塩化ビニル樹脂製の軒樋であり、屋外側壁板１と、屋内側壁板２と、これらの底辺同士をつなぐ底板３を備え、前記屋外側壁板１と前記屋内側壁板２の上端に中空の耳縁４、５が設けられたものである。また、上記屋外側壁板１の内壁にその内側へ突出した中空リブ６が設けられ、この中空リブ６の高さ位置が前記屋内側壁板２の耳縁５の高さ位置と同程度の高さ位置にある。上記屋外側壁板１は、その下端から上記中空リブ６まで鉛直に形成され、屋外側壁板１の該中空リブ６配置位置より上方を軒樋の内側へなだらかに傾斜している。また、上記床板３には、その長手方向に伸びる突出部７がある。
【００１５】
図示は省略したが、この軒樋は、該底板３をその長手方向の両端へいくに従って軒樋の内側へ１．８ｍあたり５ｍｍ傾斜させたものであり、屋外側壁板１の外側と、屋内側壁板２の内側に耐候性樹脂たるＡＥＳ樹脂（アクリロニトリル・（エチレン・プロピレン・ジエン共重合体）・スチレン樹脂）を被覆したものである。
【００１６】
本実施例にあっては、本実施例にかかる軒樋を１２００ｍｍ間隔で取り付けた吊り具に施工し、軒樋継手の高さ位置を確認したところ、施工直後は軒樋の施工基準高さ位置から２ｍｍ高かったが、施工１ヶ月後には施工基準高さ位置と同じ高さ位置（±０ｍｍ）になった（図２参照）。本実施例の軒樋は、２ヶ月後でも１ヶ月後と同じ高さ位置にあったので、軒樋継手部分の落ち込みを維持できた。従来品では、施工１ヶ月後に施工基準高さ位置より８ｍｍ低くなった。また、本実施例にあっては、上記構成により、太陽光の影響による軒樋の蛇行も少なくなった。
【００１７】
【発明の効果】
本発明にあっては、屋外側壁板と、屋内側壁板と、これらの底辺同士をつなぐ底板を備え、前記屋外側壁板と前記屋内側壁板の上端又はその近傍に中空の耳縁が設けられ、全体で縦断面コ字状に形成された合成樹脂製の軒樋において、該底板をその長手方向の両端へいくに従って軒樋の内側へ１．８ｍあたり３〜５ｍｍ傾斜させ、これにより、１２００ｍｍ間隔で取り付けられた複数の吊り具に吊されても軒樋同士を接続している継手部分（長手方向における両端部）が下に落ち込んだり、太陽光の影響で伸びようとする軒樋が蛇行したりしなくなった。
【００１８】
他の発明にあっては、上記屋外側壁板の内壁にその内側へ突出した中空リブを設け、この中空リブの高さ位置を前記屋内側壁板の耳縁の高さ位置と同程度から屋外側壁の耳縁の高さ位置との間にし、これにより、屋外側壁板の補強効果が図れ軒樋の継手部分の落ち込みや軒樋の蛇行を防止することができた。
【００１９】
他の発明にあっては、上記屋外側壁板を、その下端から上記中空リブまで鉛直に形成し、屋外側壁板の該中空リブ配置位置より上方を軒樋の内側へなだらかに傾斜させ、これにより、太陽光の受光面積を最小限にし、軒樋の蛇行を防止することができた。
【００２０】
他の発明にあっては、上記床板にその長手方向に伸びる突出部を設け、これにより吊り具同士の間隔を開けても、軒樋同士を接続している継手部分（長手方向における両端部）が下に落ち込まなくなった。
【００２１】
他の発明にあっては、上記屋外側壁板の外側と、上記屋内側壁板の内側に耐候性樹脂を被覆し、屋外側と屋内側の熱変形バランスを軒樋全体からみて均一に保たせ、これにより、軒樋の蛇行を抑えることができる。
【図面の簡単な説明】
【図１】本発明の一実施例である軒樋を模式的に示した斜視図である。
【図２】この実施例を施工した際の測定方法を示す参考図である。
【符号の説明】
１  屋外側壁板
２  屋内側壁板
３  底板
４  耳縁
５  耳縁
６  中空リブ
７  突出部
【図１】
0004550264.tif 000002
【図２】
0004550264.tif 000003